(57)【要約】【課題】　トルク値を正確かつ細密に事前設定可能とするトルクリミッタを具え，しかも低コストで経済的に製造可能な電動ドライバ等の手持式工具装置を提案する。【解決手段】　本発明に係る手持式工具装置は，ハウジング（１）及びトルクリミッタ（２）を具え，該トルクリミッタ（２）が，工具を駆動する駆動軸（３）のトルク値を調整するための調整機構（４）を含んでいる。調整機構（４）は，制御カム（６）の設けられた回動可能な調整スリーブ（５）と，該調整スリーブ（５）の回動軸線（Ｄ）に対して軸線方向に変位可能にハウジング（１）に設けられ，前記制御カム（６）に摺接してトルク値を調整する制御部材（７）とを有する。制御カム（６）は，少なくとも２個の制御カム部分（６ａ，６ｂ）を有する。さらに，制御部材（７）は，対応する制御カム部分（６ａ，６ｂ）とそれぞれ協働する少なくとも２個の接触子（８ａ，８ｂ）を有する。【選択図】　図１
2004034286.tif 000002
【特許請求の範囲】
【請求項１】
　ハウジング（１）及びトルクリミッタ（２）を具え，該トルクリミッタ（２）が，工具を駆動する駆動軸（３）のトルク値を調整するための調整機構（４）を含み，該調整機構（４）が，制御カム（６）の設けられた回動可能な調整スリーブ（５）と，該調整スリーブ（５）の回動軸線（Ｄ）に対して軸線方向に変位可能にハウジング（１）に設けられ，前記制御カム（６）に摺接してトルク値を調整する制御部材（７）とを有する手持式工具装置において，
　前記制御カム（６）が少なくとも２個の制御カム部分（６ａ，６ｂ）を有すると共に，前記制御部材（７）が対応する制御カム部分（６ａ，６ｂ）とそれぞれ協働する少なくとも２個の接触子（８ａ，８ｂ）を有することを特徴とする工具装置。
【請求項２】
　請求項１記載の装置において，前記制御カム部分（６ａ，６ｂ）が，前記調整スリーブ（５）の回動軸線（Ｄ）を中心としてそれぞれ約３６０°に亙って延在することを特徴とする工具装置。
【請求項３】
　請求項１又は２に記載の装置において，前記制御カム部分（６ａ，６ｂ）が，前記調整スリーブ（５）の回動軸線（Ｄ）を中心として互いに同軸の環状に形成されていることを特徴とする工具装置。
【請求項４】
　請求項１〜３の何れか一項に記載の装置において，前記制御カム部分（６ａ，６ｂ）が，前記駆動軸（３）の軸線方向（Ｌ）に対して平行に作用することを特徴とする工具装置。
【請求項５】
　請求項１〜４の何れか一項に記載の装置において，前記制御カム（６）が，２個の制御カム部分（６ａ，６ｂ）を有すると共に，前記制御部材（７）が，対応する制御カム部分（６ａ，６ｂ）に接触するように互いに対向して配置された２個の接触子（８ａ，８ｂ）を有することを特徴とする工具装置。
【請求項６】
　請求項５記載の装置において，前記制御部材（７）が，調整スリーブ（５）の回動軸線（Ｄ）上に配置された結合部材（９）を具え，該結合部材（９）を介して接触子（８ａ，８ｂ）をハウジング（１）に対して支持することを特徴とする工具装置。
【発明の詳細な説明】
【技術分野】
【０００１】
　本発明は，ハウジング及びトルクリミッタを具え，該トルクリミッタが，工具を駆動する駆動軸のトルク値を調整するための調整機構を含み，該調整機構が，制御カムの設けられた回動可能な調整スリーブと，該調整スリーブの回動軸線に対して軸線方向に変位可能にハウジングに設けられ，前記制御カムに摺接してトルク値を調整する制御部材とを有する手持式工具装置に関するものである。
【背景技術】
【０００２】
　電動ドライバ等の手持式工具装置は，工具を駆動するためのモータの過負荷や，使用すべきねじの損傷等を回避するためにトルクリミッタを具えるのが普通である。トルクリミッタは，トルク値を予め設定するための調整機構を具える。調整機構を作動するために，回動可能な調整スリーブには制御カムが設けられている。調整機構は，打撃機構等の始動・停止にも使用可能である。ドライバは，軸線方向に作用する弾性素子により噛み合う噛み合いクラッチ等を具える。
【０００３】
　ハウジング及びトルクリミッタを具える既知の手持式工具装置において，工具を駆動する電動駆動軸のトルク値を事前に設定するため，トルクリミッタは調整スリーブを含む調整機構を具え，この調整スリーブは制御カムを有する。調整スリーブの回動軸線に対して軸線方向に変位可能にハウジングに設けられた制御部材は，トルク値を設定するために制御カムに摺接する。制御部材は制御カムと接触する少なくとも２個の接触子を有するため，調整スリーブを正確かつ安定的にハウジングに設けることが可能である。接触子は，制御カムの円周方向に均等配置される。
【０００４】
　上述した従来技術は，少なくとも２個の接触子を使用することにより，トルク値を正確に事前設定することが不可能である。２個の接触子では，調整スリーブが最大でも１８０°しか回動させることができないからである。特に，３個以上の接触子を使用する場合には，それに対応して回動可能領域が減少する。
【発明の開示】
【発明が解決しようとする課題】
【０００５】
　本発明の課題は，トルク値を正確かつ細密に事前設定可能とするトルクリミッタを具え，しかも低コストで経済的に製造可能な手持式工具装置を提案することにある。
【課題を解決するための手段】
【０００６】
　この課題を解決するため，本発明は，ハウジング及びトルクリミッタを具え，該トルクリミッタが，工具を駆動する駆動軸のトルク値を調整するための調整機構を含み，該調整機構が，制御カムの設けられた回動可能な調整スリーブと，該調整スリーブの回動軸線に対して軸線方向に変位可能にハウジングに設けられ，前記制御カムに摺接してトルク値を調整する制御部材とを有する手持式工具装置において，前記制御カムが少なくとも２個の制御カム部分を有すると共に，前記制御部材が対応する制御カム部分とそれぞれ協働する少なくとも２個の接触子を有することを特徴とするものである。
【０００７】
　本発明によれば，制御カムが少なくとも２個の接触子を具えるため，制御カムを正確かつ安定に支持することが可能である。更に，制御カムを少なくとも２個の制御カム部分に分割し，それらの各部分が対応する接触子と協働する。その結果，制御カムの全周が対応する接触子のために使用可能となり，トルクリミッタの事前設定範囲を確実に細分化することが可能である。特に，大トルクの手持式工具装置では，トルク値の細密な区分及び正確な事前設定が極めて重要である。
【０００８】
　調整スリーブの最大回動領域を確実に確保可能とするため，制御カム部分は調整スリーブの回動軸線を中心としてそれぞれ約３６０°に亙って延在させるのが好適である。調整スリーブが複数の係止位置を有する場合，トルク値を簡便かつ正確に事前設定することが可能である。
【０００９】
　トルクリミッタをコンパクト構造として実現するため，制御カム部分は回動軸線を中心として環状かつ互いに同軸的に形成するのが有利である。更に，制御カム部分が回動軸線に対して同軸的に整列することにより，ハウジングに対して回動可能な調整スリーブに対して，接触子を正確かつ簡便にガイドすることが可能である。
【００１０】
　噛み合いクラッチ等に対する動力伝達機構を構造的に簡素化するため，制御カム部分は，駆動軸の軸線方向に対して平行に作用する配置とするのが好適である。
【００１１】
　トルクリミッタを低コストで製造可能とするため，制御カムは２個のカム部分を，制御部材は２個の接触子を具える配置とし，これら接触子は互いに対向すると共にそれぞれ対応するカム部分に接触する構成とするのが有利である。
【００１２】
　ハウジングに対して接触子を支持するため，制御部材には，制御スリーブの回動軸線上に配置される結合部材を設けるのが好適である。
【発明を実施するための最良の形態】
【００１３】
　以下，本発明を図示の実施形態について更に具体的に説明する。
【００１４】
　図１〜図４は，本発明に係る手持式電動ドライバを示す。この電動ドライバは，ハウジング１と，トルクリミッタ２とを具える。トルクリミッタ２は，図示しない工具を駆動する電動駆動軸３のトルク値を事前に設定するための調整機構４を具える。更に，手持式工具装置は，工具を着脱可能に把持するための工具ホルダ１３と，駆動軸３の回動軸線Ｄに対して軸線方向に作用することにより，軸線方向の衝撃力を発生する噛み合いクラッチ型の打撃機構１２とを具える。
【００１５】
　調整機構４は，回動軸線Ｄを中心に回動可能とした制御カム６を有する調整スリーブ５を具えている。調整スリーブ５の回動軸線Ｄに対して軸線方向に変位可能に，しかも相対回転不能にハウジング１に設けた制御部材７は，トルク値を事前に設定するために制御カム６に摺接する。制御カム６は２個の制御カム部分６ａ，６ｂを具え，制御部材７に設けた２個の接触子８ａ，８ｂはそれぞれ対応する制御カム部分６ａ，６ｂと協働する。制御カム部分６ａ，６ｂは，調整スリーブ５の回動軸線Ｄを中心としてそれぞれ約３６０°に亙って延在する。制御カム部分６ａ，６ｂは，回動軸線Ｄを中心として環状かつ同軸的に形成され，駆動軸３の軸線方向Ｌに対して平行に作用する。制御部材７は結合部材９と軸受部材１０とを具え，この軸受部材１０は軸線方向で結合部材９を駆動軸３に固定する。結合部材９は，互いに対向する２個の遊端を有する。これらの遊端には各１個の接触子８ａ，８ｂを配置する。接触子８ａ，８ｂは，駆動軸３の軸線方向Ｌに向けて，対応する制御カム部分６ａ，６ｂとそれぞれ協働する。
【００１６】
　制御カム６と一体に形成した調整スリーブ５を回動させると，駆動軸３は軸線方向Ｌに向けて変位する。図１及び図２は初期位置におけるトルクリミッタを示し，この初期位置では打撃機構１２が作動状態となり，かつ，設定トルク値が最大となる。図３及び図４に示すように，調整スリーブ５を矢印Ｇ方向に回動させると，打撃機構１２が不作動状態となり，予め選択されたトルク値が低下する。制御カム部分６ａ，６ｂは，矢印Ｇと反対方向に工具側に向けて上昇するランプを形成する。このランプは，調整スリーブ５の回動に際して駆動軸３を軸線方向に変位させる。その結果，予め選択したトルクリミッタ２の設定トルク値が低下する。
【図面の簡単な説明】
【００１７】
【図１】本発明に係る手持式工具装置のトルクリミッタを初期位置で示す斜視図である。
【図２】図１のトルクリミッタを初期位置で示す断面図である。
【図３】図１のトルクリミッタを中間位置で示す斜視図である。
【図４】図１のトルクリミッタを中間位置で示す断面図である。
【符号の説明】
【００１８】
１　ハウジング
２　トルクリミッタ
３　駆動軸
４　調整機構
５　調整スリーブ
６　制御カム
６ａ，６ｂ　制御カム部分
７　制御部材
８ａ，８ｂ　接触子
９　結合部材
１０　軸受部材
１２　打撃機構
１３　工具ホルダ
【図１】
2004034286.tif 000003
【図２】
2004034286.tif 000004
【図３】
2004034286.tif 000005
【図４】
2004034286.tif 000006